(57)【要約】      （修正有）【課題】液体封入式マウント装置の形状への影響を最小限にした簡略設計および包装を有する液体封入式マウント装置を供給する。【解決手段】液体封入式マウント装置２０は、上部２６および下部２４を有し、収容室３０，３２，３４を形成する、ハウジング２２を備える。ハウジング内に配置された仕切り部材７２は、収容室をポンピング室３０と受容室３２，３４とに分割する。磁気アクチュエータ１０４を含むデカップラ７４が、仕切り部材に取り付けられる。可動部材１１４は、ポンピング室内に配置され、デカップラに取り付けられる。可動部材は、可動部材に配置され、互いに離間して、可動部材を第一の位置から第二の位置へ磁場に応じて移動させる、少なくとも二つの磁気インサート１４２，１４４を含む。第一の位置は、可動部材がデカップラから離間していると定義される。第二の位置は、可動部材がデカップラに取り付けられていると定義される。【選択図】図１
2019049354.tif 000002
【特許請求の範囲】
【請求項１】
中心軸上に配置されている上部および下部を有し、収容室を形成するハウジングと、
前記収容室内に配置され、前記収容室をポンピング室および受容室へと分割する仕切り部材であって、前記ポンピング室は前記上部と前記仕切り部材との間にあり、前記受容室は前記下部と前記仕切り部材との間にある、仕切り部材と、
前記ポンピング室および前記受容室を分離する前記仕切り部材に取り付けられた磁気アクチュエータを含むデカップラと、
前記デカップラに取り付けられた前記ポンピング室内に配置されるエラストマー材料製の可動部材と、
を備えた液体封入式マウント装置であって、
前記可動部材は、前記可動部材を第一の位置から第二の位置へ磁場に応じて移動させるために、前記可動部材に配置され、互いに離間した少なくとも二つの磁気インサートを含み、前記第一の位置では前記可動部材は前記デカップラから離間し、前記第二の位置では前記可動部材は前記デカップラに接する、
液体封入式マウント装置。
【請求項２】
前記デカップラは、コアおよびスリーブを含み、前記少なくとも二つの磁気インサートは、第一の磁気インサートと第二の磁気インサートとを含み、前記第一の磁気インサートは前記スリーブの近傍に配置され、前記第二の磁気インサートは、前記コアの近傍に前記第一の磁気インサートから半径方向に離間して配置される、
請求項１に記載の液体封入式マウント装置。
【請求項３】
前記第一の磁気インサートは、前記中心軸周りに環状に延びる円形状を有し、前記第二の磁気インサートは、前記第一の磁気インサートから半径方向に離間し、前記中心軸周りに環状に延びる円形状を有する、
請求項２に記載の液体封入式マウント装置。
【請求項４】
前記可動部材に隣接する前記ポンピング室内に配置されるキャップをさらに含み、前記可動部材は前記キャップと前記デカップラとの間に固定される、
請求項２又は３に記載の液体封入式マウント装置。
【請求項５】
前記キャップには、磁気流動性流体が前記キャップを通過して流れることを可能にするための、前記キャップを通って延びる少なくとも一つのオリフィスが形成され、
前記少なくとも一つのオリフィスは、半径方向および周方向に互いに離間した複数のオリフィスを含む、
請求項４に記載の液体封入式マウント装置。
【請求項６】
前記デカップラは、前記仕切り部材に取り付けられ、支持部材上端と支持部材下端との間で前記中心軸周りにかつ前記中心軸に沿って環状に延びる支持部材を含み、前記支持部材上端は前記ポンピング室内に配置され、前記支持部材下端は前記受容室内に配置され、前記支持部材上端と前記支持部材下端との間に前記中心軸に沿って延びる凹部が形成される、
請求項２から５のいずれか１項に記載の液体封入式マウント装置。
【請求項７】
前記可動部材と前記支持部材上端との間に配置され、前記中心軸周りに環状に延びて前記可動部材を受けるリテイナをさらに含む、
請求項６に記載の液体封入式マウント装置。
【請求項８】
前記スリーブは、前記凹部内に配置され、上側スリーブ端部と下側スリーブ端部との間を延び、前記上側スリーブ端部は、前記支持部材上端と隣接して配置され、前記下側スリーブ端部は、前記支持部材下端と隣接して配置され、前記上側スリーブ端部および前記下側スリーブ端部との間に延びる穴が形成され、前記コアは、前記上側スリーブ端部と前記下側スリーブ端部との間に延びる前記スリーブの前記穴の中に配置され、前記受容室と流体連通するように配置される通路が形成される、
請求項６又は７に記載の液体封入式マウント装置。
【請求項９】
前記下側スリーブ端部から半径方向内向きに延びる下側スリーブフランジをさらに含み、前記下側スリーブフランジは、前記コアと係合し、前記下側スリーブフランジと前記スリーブと前記コアとの間に区画を形成する、
請求項８に記載の液体封入式マウント装置。
【請求項１０】
前記磁気アクチュエータは、前記区画内に配置され、前記区画内に配置される第一のボビンと、磁場を選択的に発生させるため電源に電気的に接続されている、前記第一のボビンに巻き付けられた第一のコイルと、を含む、
請求項９に記載の液体封入式マウント装置。
【請求項１１】
前記仕切り部材は、前記収容室内に配置され、前記中心軸周りを延びる電磁支持リングを含み、前記電磁支持リングには、前記デカップラを受けるため、前記中心軸に沿って延びる凹面と、前記凹面および前記デカップラから半径方向に離間して、前記ポンピング室と前記受容室との間の流体連通を可能にする少なくとも一つのチャンネルと、が形成され、前記電磁支持リングには、さらに、前記中心軸周りに環状に延びる電磁溝が形成される、
請求項１０に記載の液体封入式マウント装置。
【請求項１２】
前記電磁溝内に配置された電磁場発生装置をさらに含み、前記電磁場発生装置は、前記電磁溝内に配置された第二のボビンと、前記第二のボビンに巻き付けられ、追加の磁場を発生させるため電源に電気的に接続されている第二のコイルと、を含む、
請求項１１に記載の液体封入式マウント装置。
【請求項１３】
該液体封入式マウント装置は、前記ポンピング室内に、前記可動部材に隣接して配置される絞り板であって、前記可動部材を前記絞り板と前記デカップラとの間で固定する絞り板をさらに含み、
前記絞り板は、間隙を形成する前記可動部材から離間しているソリッド部と、前記ソリッド部から前記可動部材へ外向きに延びて前記可動部材を前記絞り板と前記デカップラとの間で固定する突起と、を含む、
請求項１に記載の液体封入式マウント装置。
【請求項１４】
前記絞り板の前記ソリッド部には、磁気流動性流体が前記絞り板を通過して流れることを可能にするための、前記絞り板を貫通して延びる少なくとも一つのオリフィスが形成される、
請求項１３に記載の液体封入式マウント装置。
【請求項１５】
前記少なくとも二つの磁気インサートは、第一の磁気インサートおよび第二の磁気インサートを含み、前記第一の磁気インサートは前記中心軸周りに配置され、前記第二の磁気インサートは前記第一の磁気インサートから半径方向に離間して前記中心軸周りに配置され、前記第一の磁気インサートは、前記中心軸周りに環状に延びる円形状を有し、前記第二の磁気インサートは、前記第一の磁気インサートから半径方向に離間し、前記中心軸周りに環状に延びる円形状を有する、
請求項１３又は１４に記載の液体封入式マウント装置。
【発明の詳細な説明】
【技術分野】
【０００１】
本発明は、概して液体封入式マウント装置に関する。
【背景技術】
【０００２】
従来のマウントは、支持及び振動源の振動絶縁を提供するために存在する。これらのマウントのよく知られた用途のうちの一つは、自走車両の構成部分を支持するためである。これらのマウントは、一般的にエンジンおよび接続されたパワートレインの構成部分の、車両フレームもしくは車体構造に対する運動を制御しつつ、エンジンの振動絶縁を提供するよう動作する。エンジンおよびパワートレインマウントの多くの用途において、マウントの緩衝特性を変化させて、特定の周波数における振動の選択絶縁を提供することが望ましい。
【０００３】
そのような液体封入式マウント装置の一つが、米国特許第９、０２２、３６８号に開示されている。米国特許第９、０２２、３６８号では、中心軸上に配置される上部および下部を有し、収容室を形成するハウジングを有する液体封入式マウント装置が開示されている。仕切り部材は、収容室内に配置され、中心軸周りに延び、収容室をポンピング室および受容室に分割する。ポンピング室は、上部と仕切り部材との間に延びる。受容室は、下部と仕切り部材と間に延びる。デカップラは、ポンピング室と受容室とを分離する仕切り部材に取り付けられた磁気アクチュエータを含む。エラストマー材料製の可動部材は、ポンピング室内に配置され、デカップラに取り付けられている。
【発明の概要】
【発明が解決しようとする課題】
【０００４】
本発明は、液体封入式マウント装置の形状への影響を最小限にした簡略設計および包装を有する液体封入式マウント装置を供給する。また、本発明は、半能動／能動制御および改良したパフォーマンス調整に拡張可能な、作動応答時間および動作一貫性を改良した液体封入式マウント装置を供給する。
【課題を解決するための手段】
【０００５】
液体封入式マウント装置は、中心軸上に配置されている上部および下部を有し、収容室を形成するハウジングを含む。仕切り部材が、収容室内に配置されて、収容室をポンピング室および受容室に分割する。ポンピング室は、上部と仕切り部材と間に延びる。受容室は、下部と仕切り部材との間に延びる。磁気アクチュエータを含むデカップラが、ポンピング室と受容室とを分離する仕切り部材に取り付けらている。エラストマー材料製の可動部材が、ポンピング室内に配置され、デカップラから離間してデカップラに取り付けられる。可動部材が、可動部材を第一の位置から第二の位置へ磁場に応じて移動させるために、可動部材に配置され、互いに離間した少なくとも二つの磁気インサートを含む。第一の位置は、可動部材がデカップラから離間していると定義される。第二の位置は、可動部材がデカップラに接していると定義される。
【０００６】
さらなる観点では、液体封入式マウント装置を提供する。液体封入式マウント装置は、中心軸上に配置される上部および下部を有し、収容室を形成するハウジングを含む。仕切り部材が、収容室内に配置され、収容室をポンピング室および受容室に分割する。ポンピング室は、前記上部および仕切り部材との間に延びる。受容室は、下部と仕切り部材との間に延びる。磁気アクチュエータを含むデカップラが、ポンピング室および受容室を分離する仕切り部材に取り付けらている。エラストマー材料製の可動部材が、デカップラに接するポンピング室内に配置される。可動部材が、可動部材を第一の位置から第二の位置へ磁場に応じて移動させるために、可動部材に配置され、互いに離間した少なくとも二つの磁気インサートを含む。第一の位置は、可動部材がデカップラから離間していると定義される。第二の位置は、可動部材がデカップラに接していると定義される。絞り板が、可動部材に隣接してポンピング室内に配置され、前記可動部材を前記絞り板と前記デカップラとの間で固定する。絞り板は、可動部材から離間し間隙を形成するソリッド部と、ソリッド部から可動部材に向かって外方に延び、絞り板とデカップラとの間に可動部材を固定する突起と、を含む。
【図面の簡単な説明】
【０００７】
本発明の他の利点は、添付の図面に関連して考慮される時、以下の詳細な説明を参照することで、よりよく理解され、容易に理解されるであろう。
【図１】液体封入式マウント装置の断面図である。
【図２】図１の液体封入式マウント装置のデカップラの拡大部分断面図である。
【図３】図２の液体封入式マウント装置のデカップラの拡大部分断面図である。
【図４】液体封入式マウント装置のデカップラの磁場を示すグラフである。
【図５】液体封入式マウント装置に関する、磁気インサートの力と、磁気インサートの位置との関係を示すグラフである。
【図６】液体封入式マウント装置に関する、磁気インサートの力および流体力と、磁気インサートの位置との関係を示すグラフである。
【図７】液体封入式マウント装置の別の態様の断面図である；
【図８】図７の液体封入式マウント装置のデカップラの拡大部分断面図である。
【図９】図８の液体封入式マウント装置のデカップラの拡大部分断面図である。
【図１０】絞り板を含む液体封入式マウント装置のデカップラの別の態様の磁場を示すグラフである。
【図１１】液体封入式マウント装置の別の態様に関する、磁気インサートの力と、磁気インサートの位置との関係を示すグラフである。
【図１２】液体封入式マウント装置の別の態様に関する、磁気インサートの力および流体力と、磁気インサートの位置との関係を示すグラフである。
【発明を実施するための形態】
【０００８】
図面を参照すると、一実施形態に従って構成された液体封入式マウント装置２０が図１に全体的に示されている。図面では、複数の図面を通して、同様の参照番号は対応する部分を示している。一般的に、液体封入式マウント装置２０は、車両のフレーム上に配置された車両の構成部分、例えば、エンジンを支持するために使用される。なお、液体封入式マウントは、様々なその他の振動源を支持するために使用できる。
【０００９】
図１に示すように、液体封入式マウント装置２０は、下部２４と上部２６とを有するハウジング２２を含む。ハウジング２２の下部２４および上部２６は、中心軸Ａ上に配置され、互いに軸方向に間隔を置いて配置される。概ね管状の壁２８が、中心軸Ａ上に配置され、下部２４と上部２６との間に延在して下部２４と上部２６とを接続し、下部２４、上部２６、及び壁２８との間に収容室３０、３２、３４を形成する。
【００１０】
下部２４は、概ねボウル形状を有し、下側閉鎖端部３６と下側開放端部３８との間で中心軸Ａ周りを環状に延びている。下部リップ４０は、壁２８に係合するように、中心軸Ａに垂直に下側開放端部３８から半径方向外向きに延びている。下部２４は、中心軸Ａ上に配置された概ね円筒形状のカラー４２を含む。カラー４２は、下側閉鎖端部３６から外向きに延び、中心軸Ａ周りに遠位端４４まで環状に延びている。カラー４２は、ハウジング２２を車両に取り付けるための、下部２４とカラー４２の遠位端４４との間を中心軸Ａに沿って延びる、概ね円柱形状の下部穴４６を形成する。
【００１１】
上部２６は、概ね管状形状を有し、中心軸Ａ上に配置され、下部２４から軸方向に離間している。上部２６には、第一の開放端部４８と第二の開放端部５０との間を中心軸Ａ周りに環状に延び、第一の開放端部４８と第二の開放端部５０との間を中心軸Ａに沿って延びる、概ね円柱形状の上部穴５２が形成される。上部２６は、第二の開放端部５０に配置され、中心軸Ａに垂直に第一の開放端部４８から半径方向外向きに延びて壁２８と係合する上部リップ５４を含む。なお、上部２６および下部２４は、他の形状（例えば、四角形や六角形の断面）を有してもよい。
【００１２】
可撓体５６は、エラストマー材料製である。可撓体５６は、上部穴５２内に配置され、中心軸Ａ周りを環状に延び、中心軸Ａに沿って軸方向に可撓体下端５８から可撓体上端６０に向かって環状に延びる。可撓体下端５８は、上部２６の第一の開放端部４８に隣接して配置され、上部２６に取り付けられる。可撓体下端５８は、上部２６の第二の開放端部５０に隣接して配置され、上部２６に取り付けられ、車両の励振運動に応答して下部２４に対して弾性的に変形する。換言すると、可撓体５６は、上部２６に取り付けられ、車両の励起運動、例えば振動運動に応答して変形する。可撓体５６は、可撓体上端６０に隣接して配置され、中心軸Ａに沿って可撓体上端６０から可撓体５６内へ延びる可撓性チャンバ６２を形成する。可撓体５６には、可撓体下端５８と可撓体上端６０との間に延在する、可撓性チャンバ６２の近傍に可撓性チャンバ６２と間隔をあけて配置された、一対のインサート溝６４が形成される。
【００１３】
車両に可撓体５６を固定するための締結具と係合するために、可撓性チャンバ６２には、概ね円筒形の形状を有するブッシング６６が配置されている。インサート溝６４には、金属材料製の一対の外部インサート６８が配置され、可撓体５６に剛性を与える。可撓体５６は、可撓体５６を上部２６に固定するために上部リップ５４に係合するように、可撓体下端５８から上部リップ５４に平行に半径方向外向きに延びる可撓体フランジ７０を含む。
【００１４】
仕切り部材７２は、上部２６と下部２４との間の収容室３０、３２、３４内に配置され、中心軸Ａ周りに環状に延び、収容室３０、３２、３４をポンピング室３０および受容室３２、３４に分割する。ポンピング室３０は、可撓体５６と仕切り部材７２との間に延在している。受容室３２、３４は、下部２４と仕切り部材７２との間に延びている。ポンピング室３０および受容室３２、３４には、磁気流動性流体が収容されている。磁気流動性流体は、当該技術では周知のとおり、せん断特性を変化させる反応性がある。具体的には、磁気流動性流体に加えられる磁場に応答して、磁気流動性流体は、そのせん断特性を、制御可能な降伏強度で流動性の高いもしくは粘性の液体から半固体へ変化させる能力を有する。
【００１５】
デカップラ７４は、仕切り部材７２に取り付けられて、ポンピング室３０および受容室３２、３４を分離し、ポンピング室３０内で追加の減衰力を与える。デカップラ７４は、仕切り部材７２に取り付けられた、概ね管状形状の金属材料製の支持部材７６を含む。支持部材７６は、中心軸Ａ周りを支持部材上端７８と支持部材下端８０との間で環状に延びる。支持部材上端７８は、ポンピング室３０内に配置される。支持部材下端８０は、受容室３２、３４内に配置される。支持部材７６には、支持部材上端７８と支持部材下端８０との間を中心軸Ａに沿って延在する、概ね円柱形状を有する凹部８２が形成される。支持部材上部フランジ８４は、支持部材上端７８から半径方向外向きに、中心軸Ａの周りに環状に延びて、仕切り部材７２に係合する。支持部材７６は、支持部材下端８０から半径方向内向きにかつ中心軸Ａ周りに環状に延びる、支持部材下部フランジ８６を含み、カラー４２の遠位端４４と係合する。
【００１６】
デカップラ７４は、凹部８２内に配置され、上側スリーブ端部９０と下側スリーブ端部９２との間を中心軸Ａ周りに環状に延びる、概ね管状形状のスリーブ８８を含む。上側スリーブ端部９０は、支持部材上端７８に隣接して配置される。下側スリーブ端部９２は、支持部材７６の下端に隣接して配置される。スリーブ８８は、上側スリーブ端部９０と下側スリーブ端部９２との間を延びる、概ね円柱形状を有する穴９４を形成する。
【００１７】
デカップラ７４は、概ね円柱形状を有するコア９６を含み、上側スリーブ端部９０と下側スリーブ端部９２との間を延びるスリーブ８８の穴９４内に配置される。コア９６には、下部穴４６および受容室３２、３４と流体連通状態に配置された、概ね円柱形状を有する通路９８が形成される。下側スリーブフランジ１００は、下側スリーブ端部９２から中心軸Ａに垂直に半径方向内向きに延びてコア９６に係合し、下側スリーブフランジ１００とスリーブ８８とコア９６との間で中心軸Ａの周りに環状に延びる区画１０２を形成する。磁気アクチュエータ１０４は、区画１０２内に配置される。磁気アクチュエータ１０４は、概ねスプール形状を有し、区画１０２内に配置され、中心軸Ａの周りに環状に延びる第一のボビン１０６を含む。第一のコイル１０８は、第一のボビン１０６に巻き付けられ、磁場を発生させるため電源１１０に電気的に接続されている。なお、一つ以上のコイルを第一のボビン１０６の周りに巻き付けることができる。なお、例えばコンピュータもしくは中央処理装置であるコントローラ１１２を、電源１１０に電気的に接続して、第一のコイル１０８への出力を制御することができ、これにより磁気アクチュエータ１０４によって生成される磁場の力を制御できることが理解されよう。
【００１８】
デカップラ７４は、概ね円形状を有する、エラストマー材料製の可動部材１１４を含む。可動部材１１４は、中心軸Ａ上でポンピング室３０内に配置され、中心軸Ａから支持部材上端７８に向かって半径方向外向きに延びる。可動部材１１４は、ポンピング室３０を受容室３２、３４から分離するために、支持部材上端７８に取り付けられる。リテイナ１１６は、概ね環状形状を有し、可動部材１１４と支持部材上端７８との間に配置され、中心軸Ａ周りに環状に延びる。リテイナ１１６は、可動部材１１４を受けるため、中心軸Ａ周りに環状に延びるスロットを含んでもよい。
【００１９】
ダイアフラム１１８は、エラストマー材料製である。ダイアフラム１１８は、受容室３２、３４内に配置され、下側開放端部３８とカラー４２の遠位端４４との間を、中心軸Ａ周りに環状に延びる。ダイアフラム１１８は、下部２４と仕切り部材７２と支持部材下部フランジ８６とカラー４２の遠位端４４との間に挟まれている。ダイアフラム１１８は、受容室３２、３４を流体室３２と補償室３４とに分割する。流体室３２は、ダイアフラム１１８と仕切り部材７２との間を延びる。補償室３４は、下部２４とダイアフラム１１８との間を延びる。
【００２０】
仕切り部材７２は、金属製の概ね円形状を有する上部スペーサ１２０を含む。上部スペーサ１２０は、ポンピング室３０内に配置され、上部２６に軸方向に隣接してかつ軸方向に上部２６の下方にあり、可撓体フランジ７０と係合して、上部２６と上部スペーサ１２０との間で可撓体フランジ７０を挟み込む。上部スペーサ１２０は、上部スペーサ１２０から外向きに延びて可撓体フランジ７０と係合し、可撓体フランジ７０を上部２６と上部スペーサ１２０との間に固定する少なくとも一つの突出部１２２を含む。上部スペーサ１２０には、少なくとも一つの突出部１２２の反対側に配置され、少なくとも一つの突出部１２２から軸方向に離間している、少なくとも一つの上部スペーサ溝１２４が形成される。上部スペーサ溝１２４は、上部スペーサ１２０に沿って中心軸Ａの周りに環状に延びる。エラストマー材料製のシール１２６が、上部スペーサ１２０の溝内に配置され、中心軸Ａの周りに環状に延在する。
【００２１】
仕切り部材７２は、上部スペーサ１２０と下部２４との間で収容室３０、３２、３４内に配置される概ね円形状の電磁支持リング１２８を含む。電磁支持リング１２８は、中心軸Ａ周りを環状に延び、電磁支持リング１２８と下部２４との間にダイアフラム１１８を、電磁支持リング１２８と上部スペーサ１２０との間にシール１２６を、挟み込む。電磁支持リング１２８には、凹面１３０と、少なくとも一つのチャンネル１３２と、電磁溝１３４と、が形成される。凹面１３０は、概ね円柱形状を有し、中心軸Ａに沿って延び、デカップラ７４を受け入れる。少なくとも一つのチャンネル１３２は、凹面１３０およびデカップラ７４から半径方向に離間し、中心軸Ａと平行な関係で延び、ポンピング室３０と受容室３２、３４との間の流体連通を可能にする。電磁溝１３４は、少なくとも一つのチャンネル１３２から半径方向に間隔を置いて配置され、中心軸Ａ周りに環状に延びる。第二の電磁場発生装置１３６が、電磁溝１３４内に配置される。第二の電磁場発生装置１３６は、概ねスプール形状を有し、電磁溝１３４内に配置され、中心軸Ａの周りに環状に延びる第二のボビン１３８を含む。第二のコイル１４０は、第二のボビン１３８に巻き付けられ、追加の磁場を選択的に発生させるために電源１１０に電気的に接続される。なお、一つ以上のコイルを第二のボビン１３８の周りに巻くこともできる。
【００２２】
図２および図３に最もよく示されるように、可動部材１１４は、可動部材１１４を第一の位置から第二の位置に移動させるために、互いに離間して可動部材１１４に配置される、少なくとも二つの磁気インサート１４２、１４４を含む。第一の位置にある間、可動部材１１４は、デカップラ７４のコア９６およびスリーブ８８から離間している。第一の位置にある間、可動部材１１４は、車両の励起運動に応じてポンピング室３０内で自在に屈曲することができる。第二の位置では、可動部材１１４は、デカップラ７４のコア９６およびスリーブ８８に接している。第二の位置にある間、磁気インサート１４２、１４４を含む可動部材１１４の一部分がデカップラに接し、これによって可動部材１１４の可撓性が制限されるため、可動部材１１４の移動が制限される。第一の位置と第二の位置とを切り替えることにより、可動部材１１４の減衰力が変化し、液体封入式マウント装置２０の性能調整が可能となる。少なくとも二つの磁気インサート１４２、１４４は、第一の磁気インサート１４２と、第二の磁気インサート１４４と、を含む。概ね円形状の第一の磁気インサート１４２は、スリーブ８８の上側スリーブ端部９０の近傍に配置され、中心軸Ａの周りを延びる。概ね円形状の第二の磁気インサート１４４は、コア９６の近傍に、第一の磁気インサート１４２から半径方向に離間して配置され、第一の磁気インサート１４２および中心軸Ａの周りを環状に延びる。キャップ１４６は、概ね円形状を有し、支持部材上部フランジ８４に隣接してポンピング室３０内に配置され、キャップ１４６と支持部材７６との間に可動部材１１４を固定するために可動部材１１４から離間している。キャップ１４６には、磁気流動性流体がキャップ１４６を通って流れることを可能にするために、キャップを貫通し、穴９４と並ぶ、少なくとも一つのオリフィス１４８が形成される。なお、少なくとも一つのオリフィス１４８は、磁気流動性流体がキャップ１４６を通って流れることを可能にするために、互いに半径方向に離間した複数のオリフィス１４８を含んでもよい。
【００２３】
運転中、液体封入式マウント装置２０が励振運動、例えば、振動運動を受けると、可撓体５６が変形し、それによってポンピング室３０、受容室３２、および補償室３４の容積が変化する。その結果、容積変化に応じて可動部材１１４がポンピング室３０内で屈曲する。可動部材１１４がポンピング室３０内で屈曲すると、可動部材１１４は、励振運動に応じてポンピング室３０内で追加の減衰力を供給する。可動部材１１４によって供給される減衰率を変更するために、電源１１０によって磁気アクチュエータ１０４に電力が供給される。磁気アクチュエータ１０４が電源１１０から電力を受け取ると、磁気アクチュエータ１０４の第一のコイル１０８に通電されて磁場が発生する。図４に示すように、磁場に応じて、磁気インサート１４２、１４４は、磁気流動性流体とともに、磁気回路の一部となる。さらに、磁場に応答して、磁気インサート１４２、１４４は、磁気インサート１４２、１４４を含む可動部材１１４を第一の位置から第二の位置に引っ張る。換言すると、磁場に応じて、可動部材１１４は、デカップラ７４のコア９６およびスリーブ８８から離間した状態から、デカップラ７４のコア９６およびスリーブ８８に接する状態に移る。その結果、可動部材１１４の可撓性が制限され、それによってデカップラ７４の減衰率が変化し、性能調整が可能になる。磁気インサート１４２、１４４の位置に対する磁場に応答した磁気インサート１４２、１４４の力（Ｎ）をモニターし、図５に示す。さらに、磁気インサート１４２、１４４の位置に対する磁場に応答した磁気インサート１４２、１４４の力および流体力（Ｎ）をモニターし、図６に示す。
【００２４】
図７は、本発明の別の態様に従って構成された液体封入式マウント装置２２０の代替の実施形態を示しており、上で使用された参照番号を２００ずらして、油圧ダンパ装置２２０の同様の部品を示すのに使用する。液体封入式マウント装置２２０は、下部２２４と上部２２６とを有するハウジング２２２を含む。ハウジング２２２の下部２２４および上部２２６は、中心軸Ａ上に配置され、互いに軸方向に間隔を置いて配置される。概ね管状の壁２２８が、下部２２４と上部２２６とを接続する中心軸Ａ上に配置され、下部２２４と上部２２６と壁２２８との間に収容室２３０、２３２、２３４を形成する。
【００２５】
下部２２４は、概ねボウル形状を有し、下側閉鎖端部２３６と下側開放端部２３８との間で中心軸Ａ周りを環状に延びている。下部リップ２４０は、壁２２８に係合するように中心軸Ａに垂直に、下側開放端部２３８から半径方向外向きに延びている。下部２２４は、中心軸Ａ上に配置された概ね円筒形状のカラー２４２を含む。カラー２４２は、下側閉鎖端部２３６から外向きに、かつ中心軸Ａ周りに環状に遠位端２４４に向かって延びる。カラー２４２は、車両にハウジング２２２を取り付けるための、下部２２４とカラー２４２の遠位端２４４との間を中心軸Ａに沿って延びる、概して円柱形状の下部穴２４６を形成する。
【００２６】
上部２２６は、概ね管状形状を有し、中心軸Ａ上に配置され、下部２２４から軸方向に離間している。上部２２６には、第一の開放端部２４８と第二の開放端部２５０との間を中心軸Ａ周りに環状に延び、第一の開放端部２４８と第二の開放端部２５０との間を中心軸Ａに沿って延びる、概ね円柱形状の上部穴２５２が形成される。上部２２６は、第二の開放端部２５０に配置され、中心軸Ａに垂直に第一の開放端部２４８から外向きに半径方向に延びて壁２２８を係合する上部リップ２５４を含む。なお、上部２２６および下部２２４は、その他の形状（例えば、四角形や六角形の断面）を有してもよい。
【００２７】
可撓体２５６は、エラストマー材料製である。可撓体２５６は、上部穴２５２内に配置され、中心軸Ａ周りに環状に延び、可撓体下端２５８から可撓体上端２６０に向かって中心軸Ａに沿って軸方向に延びる。可撓体下端２５８は、上部２２６の第一の開放端部２４８に隣接して配置され、上部２２６に取り付けられる。可撓体下端２５８は、上部２２６の第二の開放端部２５０に隣接して配置され、上部２２６に取り付けられ、車両の励振運動に応じて下部２２４に対して弾性的にを変形する。換言すると、可撓体２５６は、上部２２６に取り付けられ、車両の励振運動、例えば振動運動に応じて変形する。可撓体２５６は、中心軸Ａに沿って可撓体上端２６０から可撓体２５６内へ延びる可撓体上端２６０に隣接して配置される可動式チャンバ２６２を形成する。可撓体２５６には、可撓体下端２５８と可撓体上端２６０との間に延在する、可動式チャンバ２６２の近傍に可動式チャンバ２６２と間隔を空けて配置された、互いに離間している一対のインサート溝２６４が形成される。
【００２８】
ブッシング２６６は、概ね円柱形状を有し、車両に可撓体２５６を固定するための締結具と係合するために可動式チャンバ２６２内に配置されている。一対の金属材料製の外部インサート２６８は、インサート溝２６４内に配置され、可撓体２５６に剛性を与える。可撓体２５６は、可撓体２５６を上部２２６に固定するために上部リップ２５４と係合するように、可撓体下端２５８から上部リップ２５４と平行に半径方向外向きに延びる可撓体フランジ２７０を含む。
【００２９】
仕切り部材２７２は、上部２２６と下部２２４との間の収容室２３０、２３２、２３４内に配置され、中心軸Ａ周りに環状に延び、収容室２３０、２３２、２３４をポンピング室２３０および受容室２３２、２３４に分割する。ポンピング室２３０は、可撓体２５６と仕切り部材２７２との間に延在している。受容室２３２、２３４は、下部２２４と仕切り部材２７２との間に延びている。ポンピング室２３０および受容室２３２、２３４には、磁気流動性流体が収容されている。磁気流動性流体は、当該技術では周知のとおり、せん断特性を変化させる反応性がある。具体的には、磁気流動性流体に加えられる磁場に応答して、磁気流動性流体は、そのせん断特性を、制御可能な降伏強度で流動性の高いもしくは粘性の液体から半固体へ変化させる能力を有する。
【００３０】
デカップラ２７４は、仕切り部材２７２に取り付けられて、ポンピング室２３０および受容室２３２、２３４を分離し、ポンピング室２３０内で追加の減衰力を与える。デカップラ２７４は、仕切り部材２７２に取り付けられた、概ね管状形状の金属材料製の支持部材２７６を含む。支持部材２７６は、中心軸Ａ周りを支持部材上端２７８と支持部材下端２８０との間で環状に延びる。支持部材上端２７８は、ポンピング室２３０内に配置される。支持部材下端２８０は、受容室２３２、２３４内に配置される。支持部材２７６には、支持部材上端２７８と支持部材下端２８０との間を中心軸Ａに沿って延在する、概ね円柱形状を有する凹部２８２が形成される。支持部材上部フランジ２８４は、支持部材上端２７８から半径方向外向きに延び、中心軸Ａ周りに環状に延びて、仕切り部材２７２に係合する。支持部材２７６は、支持部材下端２８０から半径方向内向きにかつ中心軸Ａ周りに環状に延びる、支持部材下部フランジ２８６を含み、カラー２４２の遠位端２４４と係合する。
【００３１】
デカップラ２７４は、凹部２８２内に配置され、上側スリーブ端部２９０と下側スリーブ端部２９２との間を中心軸Ａ周りに環状に延びる、概ね管状形状のスリーブ２８８を含む。上側スリーブ端部２９０は、支持部材上端２７８に隣接して配置される。下側スリーブ端部２９２は、支持部材２７６の下端に隣接して配置される。スリーブ２８８は、上側スリーブ端部２９０と下側スリーブ端部２９２との間を延びる、概ね円柱形状を有する穴２９４を形成する。
【００３２】
デカップラ２７４は、概ね円柱形状を有するコア２９６を含み、上側スリーブ端部２９０と下側スリーブ端部２９２との間を延びるスリーブ２８８の穴２９４内に配置される。コア２９６には、下部穴２４６および受容室２３２、２３４と流体連通状態に配置された、概ね円柱形状を有する通路２９８が形成される。下側スリーブフランジ３００は、下側スリーブ端部２９２から中心軸Ａに垂直に半径方向内向きに延びてコア２９６に係合し、下側スリーブフランジ３００とスリーブ２８８とコア２９６との間で中心軸Ａ周りに環状に延びる区画３０２を形成する。磁気アクチュエータ３０４は、区画３０２内に配置される。磁気アクチュエータ３０４は、概ねスプール形状を有し、区画３０２内に配置され、中心軸Ａの周りに環状に延びる第一のボビン３０６を含む。第一のコイル３０８は、第一のボビン３０６周りに環状に延び、磁場を発生させるため電源３１０に電気的に接続されている。なお、一つ以上のコイルを第一のボビン３０６周りに配置することができる。また、例えばコンピュータもしくは中央処理装置であるコントローラ３１２を、電源３１０に電気的に接続して、第一のコイル３０８への出力を制御することができ、これにより磁気アクチュエータ３０４によって生成される磁場の力を制御できることが理解されよう。
【００３３】
デカップラ２７４は、概ね円形状を有する、エラストマー材料製の可動部材３１４を含む。可動部材３１４は、中心軸Ａ上でポンピング室２３０内に配置され、中心軸Ａから支持部材上端２７８に向かって半径方向外向きに延びる。可動部材３１４は、ポンピング室２３０を受容室２３２、２３４から分離するために、支持部材上端２７８に取り付けられる。リテイナ３１６は、概ね環状形状を有し、可動部材３１４と支持部材上端７８との間に配置され、中心軸Ａ周りに環状に延びる。リテイナ３１６は、可動部材３１４を受けるため、中心軸Ａ周りに環状に延びるスロットを含んでもよい。
【００３４】
ダイアフラム３１８は、エラストマー材料製である。ダイアフラム３１８は、受容室２３２、２３４内に配置され、下側開放端部２３８とカラー２４２の遠位端２４４との間を、中心軸Ａ周りに環状に延びる。ダイアフラム３１８は、下部２２４と仕切り部材２７２と支持部材下部フランジ２８６とカラー２４２の遠位端２４４との間に挟み込まれている。ダイアフラム３１８は、受容室２３２、２３４を流体室２３２と補償室２３４とに分割する。流体室２３２は、ダイアフラム３１８と仕切り部材２７２との間を延びる。補償室２３４は、下部２２４とダイアフラム３１８との間を延びる。
【００３５】
仕切り部材２７２は、金属製の概ね円形状を有する上部スペーサ３２０を含む。上部スペーサ３２０は、ポンピング室２３０内に配置され、上部２２６に軸方向に隣接してかつ軸方向に上部２２６の下方にあり、可撓体フランジ２７０と係合して、上部２２６と上部スペーサ３２０との間で可撓体フランジ２７０を挟み込む。上部スペーサ３２０は、上部スペーサ３２０から外向きに延びて可撓体フランジ２７０と係合し、可撓体フランジ２７０を上部２２６と上部スペーサ３２０との間に固定する少なくとも一つの突出部３２２を含む。上部スペーサ３２０には、少なくとも一つの突出部３２２の反対側に配置され、少なくとも一つの突出部３２２から軸方向に離間している、少なくとも一つの上部スペーサ溝３２４が形成される。上部スペーサ溝３２４は、上部スペーサ３２０に沿って中心軸Ａの周りに環状に延びる。エラストマー材料製のシール３２６は、上部スペーサ３２０の溝内に配置され、中心軸Ａの周りに環状に延在する。
【００３６】
仕切り部材２７２は、上部スペーサ３２０と下部２２４との間で収容室２３０、２３２、２３４内に配置される概ね円形状の電磁支持リング３２８を含む。電磁支持リング３２８は、中心軸Ａ周りを環状に延び、電磁支持リング３２８と下部２２４との間にダイアフラム３１８を、電磁支持リング３２８と上部スペーサ３２０との間にシール３２６を、挟み込む。電磁支持リング３２８には、概ね円柱形状を有し、中心軸Ａに沿って延び、デカップラ２７４を受け入れる凹面３３０が形成される。電磁支持リング３２８には、さらに、少なくとも一つのチャンネル３３２が形成される。少なくとも一つのチャンネル３３２は、凹面３３０およびデカップラ２７４から半径方向に離間し、中心軸Ａと平行な関係で延び、ポンピング室２３０と受容室２３２、２３４との間の流体連通を可能にする。電磁支持リング３２８には、さらに、中心軸Ａ周りを環状に延びる電磁溝３３４を形成する。第二の電磁場発生装置３３６が、電磁溝３３４内に配置される。第二の電磁場発生装置３３６は、概ねスプール形状を有し、電磁溝３３４内に配置され、中心軸Ａ周りに環状に延びる第二のボビン３３８を含む。第二のコイル３４０は、第二のボビン３３８に環状に巻き付けられ、磁束を選択的に発生させるために電源３１０に電気的に接続される。なお、一つ以上のコイルを第二のボビン３３８の周りに巻くこともできる。
【００３７】
図８および図９に最もよく示されるように、可動部材３１４は、可動部材３１４を第一の位置から第二の位置へ移動させるために、互いに離間して可動部材３１４に配置される、少なくとも二つの磁気インサート３４２、３４４を含む。第一の位置において、可動部材３１４は、デカップラ２７４のコア２９６およびスリーブ２８８から離間している。第一の位置にある間、可動部材３１４は、車両の励振運動に応じてポンピング室２３０内で自在に屈曲することができる。第二の位置では、可動部材３１４は、デカップラ２７４のコア２９６およびスリーブ２８８に接している。第二の位置にある間、磁気インサート３４２、３４４を含む可動部材３１４の一部がデカップラ２７４に接し、これによって可動部材３１４の可撓性が制限されるため、可動部材３１４の移動が制限される。第一の位置と第二の位置とを切り替えることにより、可動部材３１４の減衰力が変化し、液体封入式マウント装置２２０の性能調整が可能となる。少なくとも二つの磁気インサート３４２、３４４は、第一の磁気インサート３４２および第二の磁気インサート３４４を含む。概ね円形状の第一の磁気インサート３４２は、スリーブ２８８の上側スリーブ端部２９０の近傍に配置され、中心軸Ａの周りに環状に延びる。概ね円形状の第二の磁気インサート３４４は、コア２９６の近傍に、第一の磁気インサート３４２から半径方向に離間して配置され、第一の磁気インサート３４２および中心軸Ａの周りに環状に延びる。絞り板３５０は、概ね円形状を有し、支持部材上部フランジ２８４に隣接してポンピング室２３０内に配置され、絞り板３５０と支持部材２７６との間に可動部材３１４を固定するために、可動部材３１４から離間している。絞り板３５０は、概ね円形状のソリッド部３５２を有し、ソリッド部３５２と可動部材３１４との間の間隙３５４を形成する可動部材３１４から離間している。絞り板３５０は、絞り板３５０と支持部材２７６との間に可動部材３１４を固定するために、環状に中心軸Ａ周りに、ソリッド部３５２から可動部材３１４まで外向きに延びる突起３５６を含む。ソリッド部３５２には、磁気流動性流体が絞り板３５０を通って流れることを可能にするために、絞り板３５０を貫通して延び、穴２９４と並ぶ少なくとも一つのオリフィス３５８が形成される。
【００３８】
運転中、液体封入式マウント装置２２０が励振運動、例えば、振動運動を受け取ると、可撓体２５６が変形し、それによってポンピング室２３０、受容室２３２、および補償室２３４の容積が変化する。その結果として、可動部材３１４は、励振運動に応じてポンピング室２３０内で屈曲する。可動部材３１４によって供給される減衰率を変化させるには、電源３１０によって磁気アクチュエータ３０４に電力が供給される。磁気アクチュエータ３０４が電源３１０から電力を受け取ると、磁気アクチュエータ３０４の第一のコイル３０８に通電されて磁場が発生する。図１０に示すように、磁場に応じて、磁気インサート３４２、３４４および絞り板３５０のソリッド部３５２は、磁気流動性流体とともに、磁気回路の一部となる。さらに、磁場に応じて、磁気インサート３４２、３４４は、磁気インサート３４２、３４４を含む可動部材３１４を第一の位置から第二の位置に引っ張る。これによってデカップラ２７４の減衰率が変化し、パフォーマンス調整が可能となる。換言すると、磁場に応じて、可動部材３１４はデカップラ２７４のコア２９６およびスリーブ２８８から離間した状態から、デカップラ２７４のコア２９６およびスリーブ２８８に接する状態に動かされる。同時に、可動部材３１４と絞り板３５０との間の間隙内の磁束密度が高くなり、これが可動部材３１４と絞り板３５０との間の磁気流動性流体に影響する。絞り板３５０とデカップラ７４との間で可動部材３１４が屈曲すると、ソリッド部３５２と可動部材３１４との間の間隙３５４内の磁気流動性流体は、オリフィス３５８を通して絞り板から絞り出される、つまり、絞り流れモードである。磁場に応じた磁気インサート３４２、３４４の力（Ｎ）と磁気インサート３４２、３４４の位置とをモニターし、図１１に示す。さらに、間隙３５４における平均磁場と磁気インサート３４２、３４４の位置とモニターし、図１２に示す。
【００３９】
明らかに、本発明の多くの改変および変形が上記の教示に照らして可能であり、添付の特許請求の範囲内にある限り、具体的に記載した以外の方法で実施されてもよい。これらの先行する列挙は、本発明の新規性がその有用性を発揮する任意の組み合わせを網羅するものと解釈されるべきである。
【図１】
2019049354.tif 000003
【図２】
2019049354.tif 000004
【図３】
2019049354.tif 000005
【図４】
2019049354.tif 000006
【図５】
2019049354.tif 000007
【図６】
2019049354.tif 000008
【図７】
2019049354.tif 000009
【図８】
2019049354.tif 000010
【図９】
2019049354.tif 000011
【図１０】
2019049354.tif 000012
【図１１】
2019049354.tif 000013
【図１２】
2019049354.tif 000014